(57)【要約】【課題】携帯電話機の向きや開閉に関係なく、吊り下げ状態を維持可能なアクセサリを提案する。【解決手段】本発明の携帯電話機用アクセサリは、携帯電話機に裏面を接着するようにした台座１と、該台座１の表面１ｃ上に回動部２ａを軸支し且つ該回動部２ａから重り部２ｂを延設してなり、その回動部２ａが重り部２ｂによる荷重に従動する回動部材２と、を備えたことを特徴とする。【選択図】図１
2006270791.tif 000002
【特許請求の範囲】
【請求項１】
携帯電話機に裏面を接着するようにした台座と、該台座の表面上に回動部を軸支し且つ該回動部から重り部を延設してなり、前記回動部が前記重り部による荷重に従動する回動部材と、を備えたことを特徴とする携帯電話機用アクセサリ。
【請求項２】
携帯電話機に裏面を接着するようにした台座と、該台座の表面上に対峙させて設けられ、前記台座との間に挟持空間を形成する挟持部材と、その挟持空間内に球形の挟持部を挟持し且つ該挟持部から前記挟持空間の外へ重り部を延設してなり、前記挟持部が前記挟持空間内で前記重り部による荷重に従動する回動部材と、を備えたことを特徴とする携帯電話機用アクセサリ。
【発明の詳細な説明】
【技術分野】
【０００１】
本発明は、移動体通信の端末機である携帯電話機を装飾するためのアクセサリに関する。
【背景技術】
【０００２】
最近、１０代から２０代の特に女性の間で、携帯電話機に宝石風のシールや、チェーン、マスコットなどのアクセサリを貼り付けて飾り立てることが流行っている。このようなアクセサリとしては、たとえば特許文献１〜３に記載されたようなものがある。
【０００３】
【特許文献１】実用新案登録第３０７７１８６号
【特許文献２】実用新案登録第３０８７７８３号
【特許文献３】実用新案登録第３０９３２７９号
【発明の開示】
【発明が解決しようとする課題】
【０００４】
上記のようなアクセサリを貼り付けた場合、折り畳み式の携帯電話機では、閉じたときと開いたときとでアクセサリが逆さまとなることを避けられない。たとえば、特許文献１のアクセサリを折り畳み式の携帯電話機に使用した場合、開いたときに上向となるように貼り付けると、閉じたときに下向となってしまう。また、特許文献２のアクセサリの場合は開いたときと閉じたときとでハートや星形のシール部分が逆向きになるし、特許文献３のアクセサリの場合は開いたときと閉じたときとで付属装飾品が逆向きに吊り下がってしまい、見栄えが悪い。
【０００５】
本発明はこのような課題を解決せんとするもので、携帯電話機の向きや開閉に無関係のアクセサリを提案する。
【課題を解決するための手段】
【０００６】
本発明の携帯電話機用アクセサリは、携帯電話機に裏面を接着するようにした台座と、該台座の表面上に回動部を軸支し且つ該回動部から重り部を延設してなり、その回動部が重り部による荷重に従動する回動部材と、を備えたことを特徴とする。
【０００７】
この携帯電話機用アクセサリにおいては、接着した携帯電話機の向き、折り畳み式であればその開閉状態に応じて、回動部材の重り部から回動部に荷重がかかり、この荷重に従い回動部は、重り部が最下位に位置するように従動することになる。したがって、当該アクセサリは、携帯電話機の状態、すなわち上向き、下向き、横向き、開閉などの状態に応じて回動部材が回動し、常に重り部材が最下位に位置する状態をキープすることができる。
【０００８】
回動部材には宝石風等の装飾を施して、アクセサリとしての見栄えを整えることができる。たとえば回動部をハート形として中心で軸支し、その尖った方の先端に星形の重り部を延設するなどすれば、重り部が常に下に位置するよう回動するので、回動部のハート形は、携帯電話機の状態に関係なく、常に頭の方が上を向いた状態をキープすることができる。
【０００９】
以上の他にも、本発明の携帯電話機用アクセサリは、携帯電話機に裏面を接着するようにした台座と、該台座の表面上に対峙させて設けられ、台座との間に挟持空間を形成する挟持部材と、その挟持空間内に球形の挟持部を挟持し且つ該挟持部から挟持空間の外へ重り部を延設してなり、その挟持部が挟持空間内で重り部による荷重に従動する回動部材と、を備えたことを特徴とする。
【００１０】
このアクセサリも上記同様に、接着した携帯電話機の向き、折り畳み式であればその開閉状態に応じて、回動部材の重り部から挟持部に荷重がかかり、この荷重に従い挟持部は、重り部が最下位に位置するように挟持空間内で従動することになる。したがって、当該アクセサリは、携帯電話機の状態、すなわち上向き、下向き、横向き、開閉などの状態に応じ、挟持部の従動で重り部が最下位へ向け回動するので、回動部材は常に重り部が最下位に位置する状態をキープすることができる。
【００１１】
本態様の場合は、回動部材の重り部に装飾を施すことで、当該装飾が携帯電話機の状態に関係なく常に同じ方を向いた状態を維持することができる。また、挟持部材の表側の面にも、回動する回動部材に相応の装飾を施すことが可能である。
【発明の効果】
【００１２】
本発明の携帯電話機用アクセサリによれば、携帯電話機の向き、折り畳み式であればその開閉等に応じて回動部材が回動することにより、重り部が常に下を向いた状態を維持する。したがって、携帯電話の向きや開閉等に関係なく重り部が、たとえばイヤリングのように吊り下げられた状態を常に維持することができ、従来例のように逆さ吊りになったりすることなく、見栄えの良いアクセサリを提供することができる。
【発明を実施するための最良の形態】
【００１３】
図１及び図２に本発明の第１実施形態、図３に本発明の第２実施形態を示し、それぞれ説明する。
【００１４】
図１に示す第１実施形態は、台座１と、これに中心を軸支して回動自在にした回動部材２とを備えている。
【００１５】
台座１は円盤形で、その裏面に粘着テープ１ａが貼り付けられており、該粘着テープ１ａの剥離紙１ｂを剥がして携帯電話機Ｋに接着するようにしてある。一方、表面１ｃには、回動部材２を軸支する軸１ｄが中心に立設されている。軸１ｄは、回動部材２を取り付けた後に抜け落ちることの無いよう、頭頂部に天蓋１ｅが装着される。この天蓋１ｅの表側の面は、宝石風シールＪで装飾することが可能である。
【００１６】
回動部材２は、軸１ｄに軸支された回動部２ａと、該回動部２ａから延設された重り部２ｂとを備えている。回動部２ａは、中心の貫通孔に軸１ｄを通すことで回動自在に軸支されており、その周縁に取付環２ｃが一つ設けられ、該取付環２ｃに重り部２ｂを掛け止めることで重り部２ｂが外方へ吊り下がるように延設されている。したがって、回動部２ａは重り部２ｂによる荷重に従動し、重り部２ｂが最下位に位置するように軸１ｄを中心に回動する。
【００１７】
回動部材２における回動部２ａの表側の面は宝石風シールＪで花弁形に装飾してあり、また、重り部２ｂは、プラスチック製の宝石風部品から形成されている。したがって、本例のアクセサリは、全体として宝石を花形にちりばめたデザインを有する。
【００１８】
図２（Ａ）に示すように、折り畳み式携帯電話機Ｋを閉じた状態では、アンテナを上にして持ち歩くので、一例としてディスプレイ側の筐体Ｋ１に台座１を接着した本例のアクセサリは、回動部材２の重り部２ｂがアンテナと反対の方へ下向きに吊り下がった最下位に位置する状態となる。そして、図２（Ｂ）に示すように、ディスプレイ側の筐体Ｋ１を開いて通話状態にすると、当該ディスプレイ側筐体Ｋ１は上下が逆さまになる。すると、重り部２ｂの重みで回動部２ａに荷重がかかって従動し、重り部２ｂが最下位に位置する状態へ回動部２ａが回動する。つまり回動部材２は、携帯電話機Ｋを開く動作に伴い回動部２ａが回動することで、重り部２ｂが下へ吊り下がった状態を常にキープすることができる。
【００１９】
本発明のアクセサリの携帯電話機Ｋに対する接着位置はどこでも良く、上記のように筐体Ｋ１の表面に接着するほかにも、折り畳み軸部分の端部Ｋ２に接着するなども可能で、この場合も同様に回動部材２の従動で、重り部２ｂが常に吊り下がった状態がキープされる。
【００２０】
このように台座１に回動部材２を軸支する構成の他に、図３に示す第２実施形態のように、挟持空間を形成して回動部材を挟み持つ構成も可能である。この第２実施形態のアクセサリは、台座１０と、該台座１０との間に挟持空間１１を形成する挟持部材１２と、その挟持空間１１内に挟持された回動部材１３とを備えている。
【００２１】
台座１０は円盤形で、裏面に粘着テープ１０ａが貼り付けられており、該粘着テープ１０ａの剥離紙１０ｂを剥がして携帯電話機Ｋに接着するようにしてある。一方の表面１０ｃには、所定の間隔で対峙させて挟持部材１２が設けられている。挟持部材１２は、台座１０とほぼ同形の円盤形で、中心部に柱１２ａを有し、該柱１２ａを台座１０に立設することで台座１０に対峙させてある。これら台座１０と挟持部材１２とで挟み込まれた空間が挟持空間１１として作用し、本例の場合、台座１０の周縁及び挟持部材１２の周縁の両方に土手部１０ｄ，１２ｂが周設され、挟持空間１１に挟持した回動部材１３が抜け出ないようにされている。
【００２２】
回動部材１３は、挟持空間１１内に挟持される球形の挟持部１３ａと、この挟持部１３ａから挟持空間１１の外へ延設された重り部１３ｂとを備えている。挟持部１３ａは、挟持空間１１内に摺動自在として挟持されており、且つ土手部１０ｄ，１２ｂに引っ掛かることにより飛び出ないようになっている。重り部１３ｂは、挟持部１３ａから挟持空間１１の外へ突出させたリング体に重り部品を掛け止めるようにして延設されており、下向きに吊り下がるようになっている。
【００２３】
この挟持部１３ａ及び重り部１３ｂからなる回動部材１３は、重り部１３ｂの重みにより挟持部１３ａに荷重がかかることで、挟持部１３ａが挟持空間１１内で、重り部１３ｂが最下位に位置するように従動し、重り部１３ｂが下向きに吊り下がる状態をキープする。すなわち、先の図２を使用して説明した第１実施形態と同じように、折り畳み式携帯電話機Ｋを閉じてアンテナを上にして持ち歩く状態では、ディスプレイ側筐体Ｋ１に台座１０を接着した場合の本例のアクセサリは、回動部材１３の重り部１３ｂがアンテナと反対の方へ下向きに吊り下がった最下位に位置する。そして、ディスプレイ側筐体Ｋ１を開くことで当該ディスプレイ側筐体Ｋ１が上下逆さまになると、重り部１３ｂの重みで挟持部１３ａに荷重がかかって挟持空間１１内で従動し、重り部１３ｂが最下位に位置する状態へ挟持部１３ａが摺動する。つまり回動部材１３は、携帯電話機Ｋを開く動作に伴い挟持部１３ａが重り部１３ｂに従動することで、重り部１３ｂが下へ吊り下がった状態を常にキープすることができる。
【００２４】
上記同様、第２実施形態のアクセサリの携帯電話機Ｋに対する接着位置はどこでも良く、折り畳み軸部分の端部Ｋ２に接着するなども可能である。また、挟持部材１２の表側の面は宝石風シールＪで花弁形に装飾してあり、また、重り部１３ｂは、プラスチック製の宝石風部品から形成されている。したがって、本例のアクセサリも、全体として宝石を花形にちりばめたデザインを有する。この他にも、ハート形、星形等、各種形態が可能なのはもちろんである。
【図面の簡単な説明】
【００２５】
【図１】（Ａ）は本発明に係る携帯電話機用アクセサリの第１実施形態を示した斜視図、（Ｂ）はその断面図。
【図２】（Ａ）は本発明に係る携帯電話機用アクセサリを接着した携帯電話機を閉じた状態で示し、（Ｂ）は同携帯電話機を開いた状態で示した斜視図。
【図３】（Ａ）は本発明に係る携帯電話機用アクセサリの第２実施形態を示した斜視図、（Ｂ）はその断面図。
【符号の説明】
【００２６】
１  台座
２  回動部材
２ａ  回動部
２ｂ  重り部
１０  台座
１１  挟持空間
１２  挟持部材
１３  回動部材
１３ａ  挟持部
１３ｂ  重り部
【図１】
2006270791.tif 000003
【図２】
2006270791.tif 000004
【図３】
2006270791.tif 000005